(57)【要約】【課題】本発明は天気の変化に応じる物干しバスケットを開示した。【解決手段】置き箱を含み、前記置き箱の中には伝動空間が設置され、前記伝動空間の中には粉塵阻止装置が設置され、その中、前記粉塵阻止装置の中には前記伝動空間の頂端外側まで伸びている伝動軸が回転できるように連結され、前記伝動軸には前記粉塵阻止装置の上端に位置する風力駆動装置が設置され、その中、前記風力駆動装置が前記粉塵阻止装置に対して制御を行い、本発明は構造が簡単で、機械式の風力モニタリングや雨水モニタリング構造により、急変する天気の状況に対応し、またモニタリング構造により保護装置を始動して洗濯物に対する保護を実現する。【選択図】図１
2020179096.tif 000002
【特許請求の範囲】
【請求項１】
正面視で、置き箱を含み、前記置き箱の中には伝動空間が設置され、前記伝動空間の中には粉塵阻止装置が設置され、その中、前記粉塵阻止装置の中には前記伝動空間の頂端外側まで伸びている伝動軸が回転できるように連結され、前記伝動軸には前記粉塵阻止装置の上端に位置する風力駆動装置が設置され、その中、前記風力駆動装置が前記粉塵阻止装置に対して制御を行い、前記風力駆動装置の上端には雨水遮蔽扉装置が回転できるように連結され、且つ前記風力駆動装置に対して制御を行う。その中、前記雨水遮蔽扉装置の中にはカバー面積を補うための雨遮りドア部品が設置され、前記雨水遮蔽扉装置の中には測定水箱が設置され、前記測定水箱の中には検出空間が設けられ、前記検出空間の中には雨水モニタリングスイッチ装置が設置され、前記風力駆動装置に影響を与え、前記雨水遮蔽扉装置の上側にはモータが動力が伝達できるように連結され、前記モータにはモータベースが固定的に連結され、前記モータベースには外界と固定できるフックが回転できるように連結されることを特徴とする天気の変化に応じる物干しバスケット。
【請求項２】
前記粉塵阻止装置は前記伝動空間の頂端端面に固定的に連結される左右対称の半円形のスライドレールを含み、前記スライドレールの中には防塵遮蔽扉がスライドできるように連結され、前記伝動空間の頂端内壁には前記防塵遮蔽扉と当接できる昇降エジェクタロッドがスライドできるように連結され、前記伝動空間の頂端内壁には伝動軸が回転できるように連結され、前記伝動軸には前記伝動空間の中に位置する回転盤が設けされ、前記回転盤には左右対称のスライド溝が設けられ、前記スライド溝には遠心押しブロックがスライドできるように連結され、前記遠心押しブロックのうち対称中心に近接する側と前記スライド溝の内壁との間には遠心ばねが連結され、前記伝動空間には前記伝動軸の左右端に位置する互いに対称的な支持板が固定的に連結され、前記支持板には押しレバーがスライドできるように連結され、前記押しレバーには前記遠心押しブロックと当接できるボールが設けられ、前記ボールのうち対称中心から離れている側と前記支持板のうち対称中心に近接する側との間には圧縮ばねが設けられ、前記押しレバーには、前記昇降エジェクタロッドと当接できる押しブロックが設けられることを特徴とする請求項１に記載の天気の変化に応じる物干しバスケット。
【請求項３】
前記風力駆動装置は、前記伝動軸の上端に固定的に連結される連結ブロックを含み、前記連結ブロックの中には連結空間が設けられ、前記連結空間の円周方向にはインペラが規則的に分布しており、前記連結空間の頂端内壁には上下に延びているネジ軸が回転できるように連結され、前記ネジ軸には前記連結空間の頂部外側に位置する前記雨水遮蔽扉装置が設けられ、前記ネジ軸には前記連結空間の中に位置する連結盤が設けられ、前記連結盤には左右対称の連通槽が設けられることを特徴とする請求項１に記載の天気の変化に応じる物干しバスケット。
【請求項４】
前記雨水遮蔽扉装置は、前記検出空間の底端内壁と回転できるように連結され、且つ前記検出空間の中に挿入する前記ネジ軸を含み、前記検出空間の左右端端面には互いに対称的な収納スライド溝が固定的に連結され、この中、前記雨遮りドア部品の中には前記収納スライド溝とスライドできるように連結できる雨遮りドアが設けており、前記雨遮りドアと前記検出空間の端面との間には引っ張りばねが連結され、前記雨遮りドアの前後端には互いに対称的なリセットばねが設けられ、前記リセットばねの中には展延ブロックがスライドできるように連結され、前記展延ブロックのうち対称中心に近接する側と前記リセットばねとの間には展延槽が連結され、前記ネジ軸には前記測定水箱の下側に位置する昇降盤がネジ山により連結され、前記昇降盤には前記雨遮りドアに当接でき、且つ左右対称的なロックレバーがスライドできるように連結されることを特徴とする請求項１に記載の天気の変化に応じる物干しバスケット。
【請求項５】
前記雨水モニタリングスイッチ装置は前記ネジ軸に設けられる前記検出空間にあるスプラインを含み、前記ネジ軸には前記スプラインの下端にある浮力板がスライドできるように連結され、前記浮力板の上側には軸スリーブが固定的に連結され、前記ネジ軸には前記浮力板の下端に位置する沈み板がスライドできるように連結され、前記沈み板の下側には前記連通槽とスライドできるように連結できる駆動レバーが設けられ、前記検出空間の頂端内壁には駆動軸が回転できるように連結され、前記駆動軸の上側と前記モータの間が動力が伝達できるように連結され、前記駆動軸の中には前記軸スリーブと当接できるスプライン溝が設けられ、前記検出空間には前記収納スライド溝の上側に位置する水管が左右対称的に連通して設けられ、前記水管の他端には注水口が連通して設けられることを特徴とする請求項４に記載の天気の変化に応じる物干しバスケット。
【発明の詳細な説明】
【技術分野】
【０００１】
本発明は生活用品技術分野を取り上げて、具体的には天気の変化に応じる物干しバスケットである。
【背景技術】
【０００２】
洗濯物を干す時、普通は人々が仕事に出かける時間で、もし天気が変わって雨が降り始めると、人々はすぐ家に帰って洗濯物を取り込むことができないので、洗濯物が風に吹き出された埃に汚れたり雨に濡れたりして、干す目的を達成できない。そのため、天気の変化に対応して洗濯物を保護できる物干しバスケットを設計することは、今の生活用品業界の発展の必然的な傾向になっており、本発明が説明する装置は上記の問題を解決できる。
【先行技術文献】
【特許文献】
【０００３】
【特許文献１】中国特許出願公開第105962729号明細書
【発明の概要】
【発明が解決しようとする課題】
【０００４】
本発明は天気の変化に応じる物干しバスケットを提供し、従来技術における上記欠点を解消することを目的とする。
【課題を解決するための手段】
【０００５】
本発明の天気の変化に応じる物干しバスケットは、置き箱を含み、前記置き箱の中には伝動空間が設置され、前記伝動空間の中には粉塵阻止装置が設置され、その中、前記粉塵阻止装置の中には前記伝動空間の頂端外側まで伸びている伝動軸が回転できるように連結され、前記伝動軸には前記粉塵阻止装置の上端に位置する風力駆動装置が設置され、その中、前記風力駆動装置が前記粉塵阻止装置に対して制御を行い、前記風力駆動装置の上端には雨水遮蔽扉装置が回転できるように連結され、且つ前記風力駆動装置に対して制御を行う。その中、前記雨水遮蔽扉装置の中にはカバー面積を補うための雨遮りドア部品が設置され、前記雨水遮蔽扉装置の中には測定水箱が設置され、前記測定水箱の中には検出空間が設けられ、前記検出空間の中には雨水モニタリングスイッチ装置が設置され、前記風力駆動装置に影響を与え、前記雨水遮蔽扉装置の上側にはモータが動力が伝達できるように連結され、前記モータにはモータベースが固定的に連結され、前記モータベースには外界と固定できるフックが回転できるように連結される。
【０００６】
好ましくは、前記粉塵阻止装置は前記伝動空間の頂端端面に固定的に連結される左右対称の半円形のスライドレールを含み、前記スライドレールの中には防塵遮蔽扉がスライドできるように連結され、前記伝動空間の頂端内壁には前記防塵遮蔽扉と当接できる昇降エジェクタロッドがスライドできるように連結され、前記伝動空間の頂端内壁には伝動軸が回転できるように連結され、前記伝動軸には前記伝動空間の中に位置する回転盤が設けされ、前記回転盤には左右対称のスライド溝が設けられ、前記スライド溝には遠心押しブロックがスライドできるように連結され、前記遠心押しブロックのうち対称中心に近接する側と前記スライド溝の内壁との間には遠心ばねが連結され、前記伝動空間には前記伝動軸の左右端に位置する互いに対称的な支持板が固定的に連結され、前記支持板には押しレバーがスライドできるように連結され、前記押しレバーには前記遠心押しブロックと当接できるボールが設けられ、前記ボールのうち対称中心から離れている側と前記支持板のうち対称中心に近接する側との間には圧縮ばねが設けられ、前記押しレバーには、前記昇降エジェクタロッドと当接できる押しブロックが設けられる。
【０００７】
好ましくは、前記風力駆動装置は、前記伝動軸の上端に固定的に連結される連結ブロックを含み、前記連結ブロックの中には連結空間が設けられ、前記連結空間の円周方向にはインペラが規則的に分布しており、前記連結空間の頂端内壁には上下に延びているネジ軸が回転できるように連結され、前記ネジ軸には前記連結空間の頂部外側に位置する前記雨水遮蔽扉装置が設けられ、前記ネジ軸には前記連結空間の中に位置する連結盤が設けられ、前記連結盤には左右対称の連通槽が設けられる。
【０００８】
好ましくは、前記雨水遮蔽扉装置は、前記検出空間の底端内壁と回転できるように連結され、且つ前記検出空間の中に挿入する前記ネジ軸を含み、前記検出空間の左右端端面には互いに対称的な収納スライド溝が固定的に連結され、この中、前記雨遮りドア部品の中には前記収納スライド溝とスライドできるように連結できる雨遮りドアが設けており、前記雨遮りドアと前記検出空間の端面との間には引っ張りばねが連結され、前記雨遮りドアの前後端には互いに対称的なリセットばねが設けられ、前記リセットばねの中には展延ブロックがスライドできるように連結され、前記展延ブロックのうち対称中心に近接する側と前記リセットばねとの間には展延槽が連結され、前記ネジ軸には前記測定水箱の下側に位置する昇降盤がネジ山により連結され、前記昇降盤には前記雨遮りドアに当接でき、且つ左右対称的なロックレバーがスライドできるように連結される。
【０００９】
好ましくは、前記雨水モニタリングスイッチ装置は前記ネジ軸に設けられる前記検出空間にあるスプラインを含み、前記ネジ軸には前記スプラインの下端にある浮力板がスライドできるように連結され、前記浮力板の上側には軸スリーブが固定的に連結され、前記ネジ軸には前記浮力板の下端に位置する沈み板がスライドできるように連結され、前記沈み板の下側には前記連通槽とスライドできるように連結できる駆動レバーが設けられ、前記検出空間の頂端内壁には駆動軸が回転できるように連結され、前記駆動軸の上側と前記モータの間が動力が伝達できるように連結され、前記駆動軸の中には前記軸スリーブと当接できるスプライン溝が設けられ、前記検出空間には前記収納スライド溝の上側に位置する水管が左右対称的に連通して設けられ、前記水管の他端には注水口が連通して設けられる。
【発明の効果】
【００１０】
本発明の有益な効果は：本発明は構造が簡単で、操作が便利で、装置内で持参した風力モニタリング装置や雨水モニタリング装置を利用し、天候が変化する際に物干しバスケットの対外露出面積を自動的に調整することができ、雨が強い時などの状況で洗濯物に対する保護を実現し、雨の日か風の日に洗濯物を人で収納する問題を解決し、多くのサラリーマンの圧力を緩和する。また、モニタリング装置内部には機械構造が採用され、設備の電子部品が長期にわたって日差しに当てられた後で故障が発生することを避ける。
【図面の簡単な説明】
【００１１】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の天気の変化に応じる物干しバスケットの全体構成模式図
【図２】図２は図１の雨遮りドアの構成模式図
【図３】図３は図１の「Ａ−Ａ」方向の構成模式図
【図４】図４は図１の「Ｂ−Ｂ」方向の構成模式図
【発明を実施するための形態】
【００１３】
本発明の天気の変化に応じる物干しバスケットは、置き箱４８を含み、前記置き箱４８の中には伝動空間４９が設置され、前記伝動空間４９の中には粉塵阻止装置が設置され、その中、前記粉塵阻止装置の中には前記伝動空間４９の頂端外側まで伸びている伝動軸３５が回転できるように連結され、前記伝動軸３５には前記粉塵阻止装置の上端に位置する風力駆動装置が設置され、その中、前記風力駆動装置が前記粉塵阻止装置に対して制御を行い、前記風力駆動装置の上端には雨水遮蔽扉装置が回転できるように連結され、且つ前記風力駆動装置に対して制御を行う。その中、前記雨水遮蔽扉装置の中にはカバー面積を補うための雨遮りドア部品が設置され、前記雨水遮蔽扉装置の中には測定水箱４２が設置され、前記測定水箱４２の中には検出空間４７が設けられ、前記検出空間４７の中には雨水モニタリングスイッチ装置が設置され、前記風力駆動装置に影響を与え、前記雨水遮蔽扉装置の上側にはモータ１２が動力が伝達できるように連結され、前記モータ１２にはモータベース１１が固定的に連結され、前記モータベース１１には外界と固定できるフック１０が回転できるように連結される。
【００１４】
有益的には、前記粉塵阻止装置は前記伝動空間４９の頂端端面に固定的に連結される左右対称の半円形のスライドレール２４を含み、前記スライドレール２４の中には防塵遮蔽扉２３がスライドできるように連結され、前記伝動空間４９の頂端内壁には前記防塵遮蔽扉２３と当接できる昇降エジェクタロッド３２がスライドできるように連結され、前記伝動空間４９の頂端内壁には伝動軸３５が回転できるように連結され、前記伝動軸３５には前記伝動空間４９の中に位置する回転盤２６が設けされ、前記回転盤２６には左右対称のスライド溝５０が設けられ、前記スライド溝５０には遠心押しブロック３４がスライドできるように連結され、前記遠心押しブロック３４のうち対称中心に近接する側と前記スライド溝５０の内壁との間には遠心ばね２７が連結され、前記伝動空間４９には前記伝動軸３５の左右端に位置する互いに対称的な支持板２５が固定的に連結され、前記支持板２５には押しレバー３０がスライドできるように連結され、前記押しレバー３０には前記遠心押しブロック３４と当接できるボール２８が設けられ、前記ボール２８のうち対称中心から離れている側と前記支持板２５のうち対称中心に近接する側との間には圧縮ばね２９が設けられ、前記押しレバー３０には、前記昇降エジェクタロッド３２と当接できる押しブロック３１が設けられる。
【００１５】
有益的には、前記風力駆動装置は、前記伝動軸３５の上端に固定的に連結される連結ブロック３３を含み、前記連結ブロック３３の中には連結空間２２が設けられ、前記連結空間２２の円周方向にはインペラ２１が規則的に分布しており、前記連結空間２２の頂端内壁には上下に延びているネジ軸３９が回転できるように連結され、前記ネジ軸３９には前記連結空間２２の頂部外側に位置する前記雨水遮蔽扉装置が設けられ、前記ネジ軸３９には前記連結空間２２の中に位置する連結盤３６が設けられ、前記連結盤３６には左右対称の連通槽３７が設けられる。
【００１６】
有益的には、前記雨水遮蔽扉装置は、前記検出空間４７の底端内壁と回転できるように連結され、且つ前記検出空間４７の中に挿入する前記ネジ軸３９を含み、前記検出空間４７の左右端端面には互いに対称的な収納スライド溝２０が固定的に連結され、この中、前記雨遮りドア部品の中には前記収納スライド溝２０とスライドできるように連結できる雨遮りドア１９が設けており、前記雨遮りドア１９と前記検出空間４７の端面との間には引っ張りばね４１が連結され、前記雨遮りドア１９の前後端には互いに対称的なリセットばね５３が設けられ、前記リセットばね５３の中には展延ブロック５１がスライドできるように連結され、前記展延ブロック５１のうち対称中心に近接する側と前記リセットばね５３との間には展延槽５２が連結され、前記ネジ軸３９には前記測定水箱４２の下側に位置する昇降盤４０がネジ山により連結され、前記昇降盤４０には前記雨遮りドア１９に当接でき、且つ左右対称的なロックレバー３８がスライドできるように連結される。
【００１７】
有益的には、前記雨水モニタリングスイッチ装置は前記ネジ軸３９に設けられる前記検出空間４７にあるスプライン１５を含み、前記ネジ軸３９には前記スプライン１５の下端にある浮力板４３がスライドできるように連結され、前記浮力板４３の上側には軸スリーブ４５が固定的に連結され、前記ネジ軸３９には前記浮力板４３の下端に位置する沈み板１６がスライドできるように連結され、前記沈み板１６の下側には前記連通槽３７とスライドできるように連結できる駆動レバー１８が設けられ、前記検出空間４７の頂端内壁には駆動軸１３が回転できるように連結され、前記駆動軸１３の上側と前記モータ１２の間が動力が伝達できるように連結され、前記駆動軸１３の中には前記軸スリーブ４５と当接できるスプライン溝１４が設けられ、前記検出空間４７には前記収納スライド溝２０の上側に位置する水管４４が左右対称的に連通して設けられ、前記水管４４の他端には注水口４６が連通して設けられる。
【００１８】
本発明の装置が初期状態である時に、前記駆動レバー１８が前記連通槽３７との滑り連結から離脱し、且つ前記連結ブロック３３の上端に位置し、前記昇降エジェクタロッド３２が前記伝動空間４９の中に位置し、且つ前記防塵遮蔽扉２３との当接から離れ、前記モータ１２が閉じている。
【００１９】
本発明を使用する時に、洗濯物を前記伝動空間４９の上端端面に置いて干し、風が起こる状態において、風力が前記インペラ２１を連動して回転させ、前記連結ブロック３３にある前記伝動軸３５を介して前記回転盤２６を回転させ、前記回転盤２６が回転して遠心作用により前記遠心押しブロック３４を外へ移動させて前記遠心ばね２７に運動エネルギーを蓄積させ、前記遠心押しブロック３４が前記ボール２８との当接によって、前記押しレバー３０を押し動かして逆方向へ移動させ、前記押しブロックが前記昇降エジェクタロッド３２を押し動かして上へ移動させ、前記昇降エジェクタロッド３２が防塵遮蔽扉２３と当接すると、前記防塵遮蔽扉２３を上へ前記スライドレール２４から上げて埃を防ぎ、雨が降る時に、雨水は前記注水口４６、前記水管４４を介して前記検出空間４７の中に入り、前記浮力板４３を押し動かして上へ移動させ、これにより前記軸スリーブ４５が前記スプライン１５と、前記スプライン溝１４とに当接して回転を駆動し、雨もまた前記駆動ロッド１８を押し動かして下へ移動させて前記連通槽３７の中まで移動させ、前記モータ１２が起動され、前記駆動軸１３を介して前記水管４４と前記スプライン１５とによって前記ねじ軸３９を回転させ、前記ねじ軸３９がねじ連結によって前記昇降盤４０を下に移動させ、前記駆動レバー１８を介して前記連結ブロック３３を回転させることによって、前記風力駆動装置を作動させ、風が吹く状態での作動過程によって前記防塵阻止装置を開け、前記ロックレバー３８が前記雨遮りドア１９との当接から離脱し、これにより前記雨遮りドア１９を下方に移動させて前記防塵遮蔽扉２３と当接させ、雨を防ぐ役割を果たす。
【００２０】
本発明の装置は作動が終了した後、前記雨遮りドア１９を手動で前記収納シュート２０の中に滑り込ませ、前記モータ１２を始動して前記ロックレバー３８が前記雨遮りドア１９と当接するまで逆方向に回転させ、その後前記モータ１２をオフにする。
【００２１】
本発明の有益な効果は：本発明は構造が簡単で、操作が便利で、装置内で持参した風力モニタリング装置や雨水モニタリング装置を利用し、天候が変化する際に物干しバスケットの対外露出面積を自動的に調整することができ、雨が強い時などの状況で洗濯物に対する保護を実現し、雨の日か風の日に洗濯物を人で収納する問題を解決し、多くのサラリーマンの圧力を緩和する。また、モニタリング装置内部には機械構造が採用され、設備の電子部品が長期にわたって日差しに当てられた後で故障が発生することを避ける。
【００２２】
以上の方式により、本分野の技術者が本発明の範囲内に作動モードにより各種な変化をすることができる。
【図１】
2020179096.tif 000003
【図２】
2020179096.tif 000004
【図３】
2020179096.tif 000005
【図４】
2020179096.tif 000006